(57)【要約】      （修正有）【課題】不正な方法でオートバイの電源を連結するか、エンジンを始動する場合、これを感知して電源連結またはエンジン始動を遮断するオートバイ盗難防止方法及びシステムを提供する。【解決手段】盗難防止方法及びシステムは、電子制御ユニットがオートバイの電源連結またはエンジン始動を感知する場合、電子識別子を検証し、無認証（または認証前）の電源連結またはエンジン始動の場合には、これを遮断する。また、電子制御ユニットは、無認証の電源連結またはエンジン始動の場合、盗難警報信号を発生することができる。非正常的な方法でオートバイのエンジンを始動させようとする場合、自動にエンジン始動を遮断してオートバイの盗難を防止することができる。また、ユーザは、物理的なキーをキーシリンダーに差さなくても、電子識別子を確認して始動させることができるので、迅速で且つ簡便に始動させることができる。【選択図】図３
2011057202.tif 000002
【特許請求の範囲】
【請求項１】
電子制御ユニットが認証前の電源連結またはエンジン始動を感知する感知段階と；
前記電子制御ユニットが無線通信を通じてスマートリモコンに前記電子制御ユニットの電子識別子を伝送する伝送段階と；
前記電子制御ユニットが一定時間前記スマートリモコンから伝送した前記電子制御ユニットの電子識別子に対する応答信号を受信しなければ、前記電源連結またはエンジン始動を遮断する遮断段階と；
を含むことを特徴とするオートバイ盗難防止方法。
【請求項２】
電子制御ユニットが認証前の電源連結またはエンジン始動を感知する感知段階と；
前記電子制御ユニットが無線通信を通じてスマートリモコンに前記スマートリモコンの電子識別子の伝送を要請する要請段階と；
前記電子制御ユニットが一定時間前記スマートリモコンの電子識別子を受信しなければ、前記電源連結またはエンジン始動を遮断する遮断段階と；
を含むことを特徴とするオートバイ盗難防止方法。
【請求項３】
前記遮断段階で、
前記電子制御ユニットが盗難警報信号を発生させることを特徴とする請求項１または２に記載のオートバイ盗難防止方法。
【請求項４】
前記遮断段階で、
前記電子制御ユニットがＩＧ制御回路の出力をグラウンドに接地させて、オートバイのエンジン点火制御装置に供給される交流電源をグラウンドに接地させるか、または前記エンジン点火制御装置に供給される直流電源を遮断してエンジン始動を遮断することを特徴とする請求項１または２に記載のオートバイ盗難防止方法。
【請求項５】
前記スマートリモコンが受信した前記電子制御ユニットの電子識別子と前記スマートリモコンの電子識別子が同一であるか否かを判断する同一性判断段階と；
前記同一性の判断結果、同一でない場合には、前記スマートリモコンは応答しない段階と；
をさらに含むことを特徴とする請求項１に記載のオートバイ盗難防止方法。
【請求項６】
前記同一性の判断結果、同一である場合には
前記スマートリモコンが前記スマートリモコンの電子識別子を含む応答信号を前記電子制御ユニットに伝送する段階と；
前記電子制御ユニットが、前記応答信号に含まれた前記スマートリモコンの電子識別子と前記電子制御ユニットの電子識別子が同一であるか否かを判断し、同一であれば、エンジン始動を準備するか、またはエンジン始動を維持する段階と；
をさらに含むことを特徴とする請求項５に記載のオートバイ盗難防止方法。
【請求項７】
前記同一性の判断結果、同一でない場合、前記電子制御ユニットが既設定のハンドルロック状態を維持する段階と；
前記同一性の判断結果、同一である場合、前記電子制御ユニットが既設定のハンドルロックを解除する段階と；
をさらに含むことを特徴とする請求項５に記載のオートバイ盗難防止方法。
【請求項８】
前記遮断段階で、
前記応答信号を受信しないか、または前記スマートリモコンの電子識別子を受信しない前記一定時間以内にスタートボタンを押せば、前記電子制御ユニットは、エンジン始動を行わないことを特徴とする請求項１または２に記載のオートバイ盗難防止方法。
【請求項９】
前記電子制御ユニットが前記スマートリモコンから前記スマートリモコンの電子識別子を受信する段階と；
前記電子制御ユニットが前記スマートリモコンの電子識別子と前記電子制御ユニットの電子識別子の同一性を判断する同一性判断段階と；
前記同一性ま判断結果、同一でない場合には、前記遮断段階を行い、同一である場合には、前記電子制御ユニットがエンジン始動を準備するか、またはエンジン始動を維持する段階と；
をさらに含むことを特徴とする請求項２に記載のオートバイ盗難防止方法。
【請求項１０】
前記伝送段階は、
前記オートバイのシートに設置された圧力センサーから圧力感知信号を受信するか、またはブレーキ操作を感知すれば、前記電子制御ユニットが無線通信を通じて前記スマートリモコンに前記電子制御ユニットの電子識別子を伝送することを特徴とする請求項１に記載のオートバイ盗難防止方法。
【請求項１１】
前記要請段階は、
前記オートバイのシートに設置された圧力センサーから圧力感知信号を受信するか、またはブレーキ操作を感知すれば、前記電子制御ユニットが無線通信を通じて前記スマートリモコンに前記スマートリモコンの電子識別子の伝送を要請することを特徴とする請求項２に記載のオートバイ盗難防止方法。
【請求項１２】
前記感知段階で、
前記電子制御ユニットがオートバイが左右に一定角度以上傾斜するか、または前輪または後輪が一定角度以上浮かばれたことを感知する段階；をさらに含み、
前記遮断段階で、前記電子制御ユニットが盗難警報信号を発生させることを特徴とする請求項１または２に記載のオートバイ盗難防止方法。
【請求項１３】
前記遮断段階で、
前記電子制御ユニットは、盗難警報信号を認証されたスマートリモコンに伝送し、盗難警報を出力させることを特徴とする請求項１または２に記載のオートバイ盗難防止方法。
【請求項１４】
オートバイの認証前の電源連結またはエンジン始動を感知することができ、電子識別子を送受信することができる電子制御ユニットと；
前記電子制御ユニットから電子識別子を受信し、応答信号を送信することができ、受信された電子制御ユニットの電子識別子とスマートリモコンの電子識別子が同一であるか否かを判断することができるスマートリモコンと；を含み、
前記電子制御ユニットは、電源連結またはエンジン始動を感知する場合、電子制御ユニットの電子識別子を前記スマートリモコンに送信し、
前記スマートリモコンは、前記電子制御ユニットの電子識別子を受信し、受信された前記電子制御ユニットの電子識別子とスマートリモコンの電子識別子が同一であるか否かを判断し、同一でない場合には応答せず、同一である場合には、前記スマートリモコンの電子識別子を含む応答信号を前記電子制御ユニットに送信し、
前記電子制御ユニットは、一定時間前記応答信号を受信しなければ、電源連結またはエンジン始動を遮断し、前記応答信号を受信すれば、前記応答信号に含まれた前記スマートリモコンの電子識別子と前記電子制御ユニットの電子識別子が同一であるか否かを判断し、同一であれば、エンジン始動を準備するか、またはエンジン始動を維持することを特徴とするオートバイ盗難防止システム。
【請求項１５】
前記電子制御ユニットは、一定時間応答信号を受信しなければ、盗難警報信号を発生させることを特徴とする請求項１４に記載の盗難防止システム。
【請求項１６】
前記電子制御ユニットは、オートバイの電源連結またはエンジン始動を感知することができる感知部と、スマートリモコンの電子識別子と前記電子制御ユニットの電子識別子が同一であるか否かを判断することができる第１制御部と、電子識別子を送受信することができる第１無線通信部と、を備えることを特徴とする請求項１４または１５に記載の盗難防止システム。
【請求項１７】
前記スマートリモコンは、電子識別子を受信し、応答信号を送信することができる第２無線通信部と、電子制御ユニットの電子識別子とスマートリモコンの電子識別子が同一であるか否かを判断することができる第２制御部と、を備えることを特徴とする請求項１４または１５に記載の盗難防止システム。
【請求項１８】
前記電子制御ユニットは、ＩＧ制御回路の出力をグラウンドに接地させて、オートバイのエンジン点火制御装置に供給される交流電源をグラウンドに接地させるか、または前記エンジン点火制御装置に供給される直流電源を遮断してエンジン始動を遮断することを特徴とする請求項１４または１５に記載のオートバイ盗難防止システム。
【請求項１９】
前記電子制御ユニットは、前記オートバイの始動が中止している間に、スリップ状態を維持することを特徴とする請求項１４に記載のオートバイ盗難防止システム。
【請求項２０】
前記電子制御ユニットは、前記オートバイのバッテリー電圧をチェックし、前記バッテリーの交替時期を通知することを特徴とする請求項１４に記載のオートバイ盗難防止システム。
【請求項２１】
前記スマートリモコンは、前記電子制御ユニットから電子識別子要請信号を受信する前までスリップ状態を維持することを特徴とする請求項１４に記載のオートバイ盗難防止システム。
【請求項２２】
前記スマートリモコンは、認証された電子制御ユニット以外の電子制御ユニットから電子識別子を要請されれば、応答しないことを特徴とする請求項１４に記載のオートバイ盗難防止システム。
【請求項２３】
前記スマートリモコンは、前記スマートリモコンのバッテリー電圧をチェックし、前記バッテリーの交替時期を通知することを特徴とする請求項１４に記載のオートバイ盗難防止システム。
【発明の詳細な説明】
【技術分野】
【０００１】
本発明は、オートバイ盗難防止方法及びシステムに関し、より詳細には、物理的なキーがなくても、迅速に始動することができ、無認証の電源連結またはエンジン始動が感知される場合、これを遮断してオートバイの盗難を防止することができるオートバイ盗難防止方法及びシステムに関する。
【背景技術】
【０００２】
一般に、オートバイを始動させるためには、キーシリンダーにキーを挿入し、回転させた後、スタートボタンを押すか、またはキックスタートを踏むことによって、始動させることができる。しかしながら、このような方法は、ユーザが必ずキーを所持して、キーをキーシリンダーに挿入し、キーシリンダーをオン（ＯＮ）位置に回さなければならないという煩雑さがある。
【０００３】
オートバイは、第三者の接近を阻止することができるドアがない。したがって、オートバイは、常に盗難の危険にさらされている。また、大部分のオートバイが不正な方法で配線を簡単に操作すれば、強制的にエンジンを始動させることができるという問題点がある。例えば、キーシリンダーとハーネスを連結させるコネクターを分離させ、キックスタートを踏むか、またはワイヤハーネス全体を切断し、キックスタートを踏むか、またはイグニッショングラウンドまたはイグニッションワイヤのうち１つを切断し、キックスタートを踏むと始動してしまう。
【０００４】
最近、このような煩雑さと盗難防止技術を改善したスマートキーシステムをオートバイに適用した事例が増加している。しかしながら、ほとんどの場合、オートバイの製造時にスマートキーシステムを取り付けなければならず、システムの複雑性と多数の構成品に起因してコストが上昇するという問題点があった。また、不正な方法でオートバイの車体配線を操作して始動させる場合には、これを感知しにくいという問題点がある。
【発明の概要】
【発明が解決しようとする課題】
【０００５】
本発明の目的は、不正な方法でオートバイの電源を連結するか、またはエンジンを始動する場合、これを感知して電源連結またはエンジン始動を遮断するオートバイ盗難防止方法及びシステムを提供することにある。
【０００６】
本発明の他の目的は、無認証の電源連結またはエンジン始動がある場合、盗難警報信号を発生することができるオートバイ盗難防止方法及びシステムを提供することにある。
【０００７】
本発明のさらに他の目的は、ユーザが物理的なキーをキーシリンダーに差さなくても、電子識別子を確認して迅速で且つ簡便に始動させることができるオートバイ盗難防止方法及びシステムを提供することにある。
【課題を解決するための手段】
【０００８】
上記目的を達成するために、本発明は、電子制御ユニットが、認証前の電源連結またはエンジン始動を感知する感知段階と；前記電子制御ユニットが無線通信を通じてスマートリモコンに前記電子制御ユニットの電子識別子を伝送する伝送段階と；前記電子制御ユニットが一定時間前記スマートリモコンから伝送した前記電子制御ユニットの電子識別子に対する応答信号を受信しなければ、前記電源連結またはエンジン始動を遮断する遮断段階と；を含むことを特徴とするオートバイ盗難防止方法を提供する。
【０００９】
本発明によるオートバイ盗難防止方法において、前記遮断段階で、前記電子制御ユニットが盗難警報信号を発生させることができる。
【００１０】
本発明によるオートバイ盗難防止方法において、前記遮断段階で、前記電子制御ユニットがＩＧ制御回路の出力をグラウンドに接地させて、オートバイのエンジン点火制御装置に供給される交流電源をグラウンドに接地させるか、または前記エンジン点火制御装置に供給される直流電源を遮断してエンジン始動を遮断することができる。
【００１１】
本発明によるオートバイ盗難防止方法は、前記スマートリモコンが受信した前記電子制御ユニットの電子識別子と前記スマートリモコンの電子識別子とが同一であるか否かを判断する同一性判断段階と；前記同一性の判断結果、同一でない場合には、前記スマートリモコンは応答しない段階と；をさらに含むことができる。
【００１２】
本発明によるオートバイ盗難防止方法は、前記同一性の判断結果、同一である場合には、前記スマートリモコンが前記スマートリモコンの電子識別子を含む応答信号を前記電子制御ユニットに伝送する段階と；前記電子制御ユニットが前記応答信号に含まれた前記スマートリモコンの電子識別子と前記電子制御ユニットの電子識別子とが同一であるか否かを判断し、同一であれば、エンジン始動を準備するか、またはエンジン始動を維持する段階と；をさらに含むことができる。
【００１３】
本発明によるオートバイ盗難防止方法は、前記同一性の判断結果、同一でない場合、前記電子制御ユニットが既設定のハンドルロック状態を維持する段階と；前記同一性の判断結果、同一である場合、前記電子制御ユニットが既設定のハンドルロックを解除する段階と；をさらに含むことができる。
【００１４】
本発明によるオートバイ盗難防止方法において、前記伝送段階は、前記オートバイのシートに設置された圧力センサーから圧力感知信号を受信するか、ブレーキ操作を感知すれば、前記電子制御ユニットが無線通信を通じて前記スマートリモコンに前記電子制御ユニットの電子識別子を伝送することができる。
【００１５】
また、本発明は、電子制御ユニットが認証前の電源連結またはエンジン始動を感知する感知段階と；前記電子制御ユニットが無線通信を通じてスマートリモコンに前記スマートリモコンの電子識別子の伝送を要請する要請段階と；前記電子制御ユニットが一定時間前記スマートリモコンの電子識別子を受信しなければ、前記電源連結またはエンジン始動を遮断する遮断段階と；を含むことを特徴とするオートバイ盗難防止方法を提供する。
【００１６】
本発明によるオートバイ盗難防止方法は、前記電子制御ユニットが前記スマートリモコンから前記スマートリモコンの電子識別子を受信する段階と；前記電子制御ユニットが前記スマートリモコンの電子識別子と前記電子制御ユニットの電子識別子の同一性を判断する同一性判断段階と；前記同一性の判断結果、同一でない場合には、前記遮断段階を実行し、同一である場合には、前記電子制御ユニットがエンジン始動を準備するか、またはエンジン始動を維持する段階と；をさらに含むことができる。
【００１７】
本発明によるオートバイ盗難防止方法は、前記遮断段階で、前記応答信号を受信しないか、または前記スマートリモコンの電子識別子を受信しない前記一定時間以内にスタートボタンを押せば、前記電子制御ユニットは、エンジン始動を行わなくてもよい。
【００１８】
本発明によるオートバイ盗難防止方法において、前記要請段階は、前記オートバイのシートに設置された圧力センサーから圧力感知信号を受信するか、ブレーキ操作を感知すれば、前記電子制御ユニットが無線通信を通じて前記スマートリモコンに前記スマートリモコンの電子識別子の伝送を要請することができる。
【００１９】
本発明によるオートバイ盗難防止方法において、前記感知段階は、前記電子制御ユニットが、オートバイが左右に一定の角度以上傾斜するか、または前輪または後輪が一定の角度以上浮かされたことを感知する段階をさらに含み、前記遮断段階で、前記電子制御ユニットが盗難警報信号を発生させる。
【００２０】
本発明によるオートバイ盗難防止方法において、前記遮断段階で、前記電子制御ユニットは、盗難警報信号を認証されたスマートリモコンに伝送し、盗難警報を出力させる。
【００２１】
本発明によるオートバイ盗難防止システムは、電子制御ユニット及びスマートリモコンを含む。電子制御ユニットは、オートバイの認証前の電源連結またはエンジン始動を感知することができ、電子識別子を送受信することができる。スマートリモコンは、電子制御ユニットから電子識別子を受信し、応答信号を送信することができ、受信された電子制御ユニットの電子識別子とスマートリモコンの電子識別子が同一であるか否かを判断することができる。電子制御ユニットは、認証前の電源連結またはエンジン始動を感知する場合、電子制御ユニットの電子識別子をスマートリモコンに伝送する。スマートリモコンは、電子制御ユニットの電子識別子を受信し、受信された電子制御ユニットの電子識別子とスマートリモコンの電子識別子が同一であるか否かを判断し、同一でない場合には、応答せず、同一である場合には、前記スマートリモコンの電子識別子を含む応答信号を前記電子制御ユニットに伝送する。電子制御ユニットは、一定時間前記応答信号を受信しなければ、電源またはエンジン始動を遮断し、応答信号を受信すれば、応答信号に含まれたスマートリモコンの電子識別子と電子制御ユニットの電子識別子が同一であるか否かを判断し、同一であれば、エンジン始動を準備するか、またはエンジン始動を維持することができる。電子制御ユニットは、一定時間応答信号を受信しなければ、盗難警報信号を発生させることができる。
【００２２】
本発明によるオートバイ盗難防止システムは、電子制御ユニットが感知部、第１制御部、第１無線通信部を備える。感知部は、オートバイの電源連結またはエンジン始動を感知することができる。第１制御部は、スマートリモコンの電子識別子と電子制御ユニットの電子識別子が同一であるか否かを判断することができる。第１無線通信部は、電子識別子を送受信することができる。
【００２３】
本発明によるオートバイ盗難防止システムは、スマートリモコンが第２無線通信部及び第２制御部を備える。第２無線通信部は、電子識別子を受信し、応答信号を送信することができる。第２制御部は、電子制御ユニットの電子識別子とスマートリモコンの電子識別子が同一であるか否かを判断することができる。
【００２４】
本発明によるオートバイ盗難防止システムは、電子制御ユニットがＩＧ制御回路の出力をグラウンドに接地させて、オートバイのエンジン点火制御装置に供給される交流電源をグラウンドに接地させるか、または前記エンジン点火制御装置に供給される直流電源を遮断してエンジン始動を遮断することができる。
【００２５】
本発明によるオートバイ盗難防止システムは、電子制御ユニットがオートバイの始動が中止している間に、スリップ状態を維持することができる。
【００２６】
本発明によるオートバイ盗難防止システムは、電子制御ユニットがオートバイのバッテリー電圧をチェックし、バッテリーの交替時期を通知することができる。
【００２７】
本発明によるオートバイ盗難防止システムは、スマートリモコンが電子制御ユニットから電子識別子の要請信号を受信する前までスリップ状態を維持することができる。
【００２８】
本発明によるオートバイ盗難防止システムは、スマートリモコンが認証された電子制御ユニット以外の電子制御ユニットから電子識別子を要請されれば、応答しなくてもよい。
【００２９】
また、本発明によるオートバイ盗難防止システムは、スマートリモコンがスマートリモコンのバッテリー電圧をチェックし、バッテリーの交替時期を通知することができる。
【発明の効果】
【００３０】
本発明によるオートバイ盗難防止方法及びシステムは、不正な方法でオートバイの電源を連結するか、またはエンジンを始動する場合、これを感知して電源連結またはエンジン始動を遮断することができる。また、無認証の電源連結またはエンジン始動がある場合、盗難警報信号を発生することができる。したがって、オートバイの盗難を防止することができる。
【００３１】
また、本発明によるオートバイ盗難防止方法及びシステムは、物理的なキーをキーシリンダーに差さなくても、電子識別子を確認して始動させることができるので、ユーザが迅速で且つ簡便に始動させることができる。
【図面の簡単な説明】
【００３２】
【図１】本発明の実施例による電子制御ユニットを示す図である。
【図２】本発明の実施例によるスマートリモコンを示す図である。
【図３】本発明の実施例によるオートバイ盗難防止方法を示す流れ図である。
【図４】本発明の他の実施例によるオートバイ盗難防止方法を示す流れ図である。
【発明を実施するための形態】
【００３３】
以下、添付の図面を参照して本発明の好ましい実施例を詳しく説明する。この時、添付の図面において、同一の構成要素は、可能であれば、同一の符号を付すことに留意する。また、公知の機能及び構成に関する詳細な説明は省略する。同様の理由で、添付の図面において、一部の構成要素は、誇張または省略されるか、または概略的に図示されている。
【００３４】
ここで、“認証前の電源連結またはエンジン始動”は、電子制御ユニットとスマートリモコンとの間に認証過程を行わない状態での電源連結またはエンジン始動を意味する。
【００３５】
図１は、本発明の実施例による電子制御ユニットを示す図であり、図２は、本発明の実施例によるスマートリモコンを示す図である。
【００３６】
本発明の実施例による電子制御ユニット１００は、図１に示されたように、感知部１１０、第１制御部１２０及び第１無線通信部１３０を含んで構成され、認証前の電源連結またはエンジン始動が不正な方法で行われた場合には、これを遮断する。
【００３７】
感知部１１０は、電源連結感知部１１１、エンジン始動感知部１１２及びセンサー部１１３を備える。電源連結感知部１１１は、オートバイの電源が連結されるか否かを感知する。エンジン始動感知部１１２は、オートバイのエンジン始動があるか否かを感知する。また、センサー部１１３は、圧力センサー、モーションセンサーなどを含む。圧力センサーは、オートバイのシートに作用する圧力や重さを感知し、人がシートに座るか否かを感知する。モーションセンサーは、オートバイが左右に一定角度以上傾斜したか、または前輪または後輪が一定角度以上浮かされたか否かを感知する。この時、モーションセンサーにおいては、加速度センサー、角速度センサー、磁場センサー及びジャイロセンサーのうち少なくとも１つを含むが、これらに限定されるものではない。感知部１１０は、認証前の電源連結またはエンジン始動が感知されれば、これを第１制御部１２０に通知する。同時に、センサー部１１３は、感知した感知信号を第１制御部１２０に伝送する。
【００３８】
第１無線通信部１３０は、ＬＦ送信回路１３１、ＬＦアンテナ１３２、ＲＦ受信回路１３３、ＲＦアンテナ１３４を備える。ＬＦ送信回路１３１は、電子制御ユニット１００の電子識別子をＬＦアンテナ１３２を通じてスマートリモコン２００に送信する。他の実施例において、ＬＦ送信回路１３１は、スマートリモコン２００の電子識別子の伝送要請信号を送信することができる。ＲＦ受信回路１３３は、ＲＦアンテナ１３４を通じてスマートリモコン２００から応答信号を受信する。
【００３９】
一方、本実施例においては、電子制御ユニット１００がＬＦ（低周波）で送信し、ＲＦ（高周波）で受信する例を開示したが、これに限定されるものではない。例えば、電子制御ユニット１００は、ＬＦで送受信してもよく、ＲＦで送受信してもよく、またはＲＦで送信し、ＬＦで受信してもよい。
【００４０】
第１制御部１２０が無認証の電源連結またはエンジン始動という判断をする場合、出力回路１４１は、盗難警報信号を発生させることができる。盗難警報信号は、サイレン１４２またはランプ１４３などを利用して発生させることができる。また、複製キーを利用したり、正常ではない方法でキーシリンダーをオン（ＯＮ）にしたりして、オートバイの各電子装置に電源が供給されても、第１制御部１２０が認証を通過する前までにスタートボタン１６２が押された場合には、エンジン始動を行わない。
【００４１】
第１制御部１２０は、警報モードでセンサー部１１３のうちモーションセンサーから感知信号を受信すれば、出力回路１４１に盗難警報信号を発生させることができる。オートバイが左右に一定角度以上傾斜するか、または前輪または後輪が一定角度以上浮かされたことをモーションセンサーが感知すれば、モーションセンサーは、感知信号を第１制御部１２０に出力する。第１制御部１２０は、出力回路１４１に盗難警報信号を発生させる。
【００４２】
第１制御部１２０は、第１無線通信部１３０を介してスマートリモコン２００との無線通信を通じて警報、警報解除、電源連結及び始動を自動に行うことができる。もちろん第１制御部１２０は、認証を通過したスマートリモコン２００との無線通信を通じて前述したような機能を自動に行う。スマートリモコン２００を利用した認証を通過すれば、第１制御部１２０は、自動に既設定のハンドルロックを解除する。始動を中止し、警報モードに進入すれば、第１制御部１２０は、ハンドルロックを設定する。
【００４３】
第１制御部１２０は、センサー部１１３の圧力センサーから圧力感知信号を受信するか、ブレーキ操作を感知すれば、スマートリモコン２００に対する認証過程を開始することができる。例えば、第１制御部１２０は、電子制御ユニット１００の電子識別子をスマートリモコン２００に伝送するか、またはスマートリモコン２００の電子識別子をスマートリモコン２００に要請することができる。
【００４４】
一方、第１制御部１２０は、オートバイの始動が中止している間、スリップ状態を維持する。すなわちオートバイの始動が中止しているオートバイのバッテリーの放電危険がある時間の間、第１制御部１２０は、スリップ状態を維持する。また、第１制御部１２０は、オートバイのバッテリー電圧をチェックし、バッテリー放電の危険がある場合、サイレン１４２、ランプ１４３またはＬＥＤ１５２などを用いて外部に通知することができる。
【００４５】
ＬＥＤ１５２は、オートバイの作動状態を示す。第１制御部１２０は、状態表示回路１５１を制御し、ＬＥＤ１５２を調節することができる。
【００４６】
本実施例による電子制御ユニット１００は、オートバイの製造時から装着可能である。仮に、完成されたオートバイに電子制御ユニット１００を装着する場合、ランプ１４３、スタートヘボタン１６２及びサイレンは、追加して装着する必要がないため、既にオートバイに装着されているものを利用することができる。したがって、電子制御ユニット１００を便利に装着することができる。
【００４７】
本発明の実施例によるスマートリモコン２００は、図２に示されたように、第２無線通信部２１０、第２制御部２２０、バッテリー２３０、ブザー２４２及びランプ２４３を含む。第２無線通信部は、ＬＦ受信部２１１とＲＦ送信部２１２を備える。ＬＦ受信部２１１は、電子制御ユニット１００から送信された電子制御ユニット１００の電子識別子を受信する。他の実施例において、ＬＦ受信部２１１は、スマートリモコン２００の電子識別子の伝送要請信号を受信することができる。ＲＦ送信部２１２は、スマートリモコン２００の応答信号を電子制御ユニット１００に伝送する。
【００４８】
第２制御部２２０は、ＬＦ受信部２１１を介して受信した電子制御ユニット１００の電子識別子とスマートリモコン２００の電子識別子が同一であるか否かを判断する。電子制御ユニット１００の電子識別子とスマートリモコン２００の電子識別子とが同一でない場合には、第２制御部２２０は応答しない。電子制御ユニット１００の電子識別子とスマートリモコン２００の電子識別子とが同一である場合には、第２制御部２２０は、ＲＦ送信部２１２がスマートリモコン２００の電子識別子を含む応答信号を電子制御ユニット１００に送信するように制御する。
【００４９】
一方、第２制御部２２０は、電子制御ユニット１００から電子識別子要請信号を受信する前までスリップ状態を維持する。第２制御部２２０は、スマートリモコン２００のバッテリー２３０の電圧をチェックし、バッテリー２３０の交替時期が近付くことをランプ１４３を用いてユーザに通知することができる。第２制御部２２０は、認証されたオートバイの電子制御ユニット１００以外のオートバイの電子制御ユニット１００から電子識別子を要請されても、不要な応答を行わないので、相互間の信号の衝突を防止することができる。第２制御部２２０は、ＬＦ受信部２１１を介して電子制御ユニット１００から盗難警報信号を受信し、盗難警報を出力することができる。例えば、第２制御部２２０は、ブザー２４２またはランプ２４３を用いてユーザに通知することができる。この時、ランプ２４３としてＬＥＤを使用することができる。
【００５０】
ユーザがオートバイを利用しようとする場合、スマートリモコン２００を身体に所持したままスタートボタン１６２を押す。他の実施例においては、キーをキーシリンダーに挿入してキーシリンダーをオン（ＯＮ）位置に回転させた後、スタートボタン１６２を押すか、キックスタートを踏むことによって、始動させることもできる。この時、キーシリンダーは、２ピン方式または４ピン方式のうち１つの方式を使用することができる。
【００５１】
スタートボタン１６２の信号は、入力回路１６１を介して第１制御部１２０に伝達される。感知部１１０は、電源連結またはエンジン始動を感知する。仮に、不正な方法でオートバイの電源を連結するか、またはエンジンを始動させる場合でも、感知部１１０がこれを感知する。感知部１１０で電源連結またはエンジン始動が感知される場合、第１制御部１２０は、第１無線通信部１３０を通じて電子制御ユニット１００の電子識別子をスマートリモコン２００に伝送する。
【００５２】
スマートリモコン２００は、ＬＦ受信部２１１を介して電子制御ユニット１００の電子識別子を受信する。第２制御部２２０は、受信された電子制御ユニット１００の電子識別子とスマートリモコン２００の電子識別子とが同一であるか否かを判断する。判断結果、同一でない場合には、第２制御部２２０は応答をしない。判断結果、同一である場合には、第２制御部２２０は、ＲＦ送信部２１２を介してスマートリモコン２００の電子識別子を含む応答信号を電子制御ユニット１００に送信する。このように、スマートリモコン２００が同一の電子識別子を有する電子制御ユニット１００にのみ反応するようにして、不要な動作を事前に防止することができる。
【００５３】
電子制御ユニット１００の第１制御部１２０は、第１無線通信部１３０を介して一定時間応答信号を受信しなければ、不正な電源連結またはエンジン始動として見なし、これを遮断する。エンジン始動を遮断するために、第１制御部１２０は、ＩＧ制御回路１７１の出力をグラウンドに接地させることができる。すなわち電子制御ユニット１００は、ＩＧ制御回路１７１の出力をグラウンドに接地させることによって、発電機からエンジン点火制御装置１７３に供給される交流電源をグラウンドに放出されるようにして、エンジン始動を遮断するか、またはエンジン点火制御装置１７３に供給される直流電源を遮断して、エンジン始動を遮断することができる。例えば、エンジン点火制御装置１７３は、ＣＤＩ（Capacitor Discharge Ignition）方式、ＤＣ−ＣＤＩ方式及び電子制御ユニット１００を利用したインジェクション方式のうち１つのエンジン点火方式を使用することができる。
【００５４】
ＣＤＩ方式のエンジン点火制御装置１７３を利用するオートバイの場合、エンジン点火制御装置１７３に供給される交流電源あるいは点火コイルに供給される交流電源をグラウンドに接地させて始動を遮断することができる。ＣＤＩ方式は、キーシリンダーを４ＰＩＮで構成することができる。
【００５５】
ＤＣ−ＣＤＩ方式のエンジン点火制御装置１７３を利用するオートバイの場合、エンジン点火制御装置１７３に供給される直流電源をスイッチまたはリレーを利用して遮断することによって、エンジン始動を遮断することができる。ＤＣ−ＣＤＩ方式は、キーシリンダーを２ＰＩＮで構成することができる。一方、ＤＣ−ＣＤＩ方式のエンジン点火制御装置１７３は、その種類によって特定のピンをＧＮＤ（グランド）に接地させることによって、始動が遮断される機能を行う。
【００５６】
また、電子制御ユニット１００を利用したインジェクション方式のエンジン点火制御装置１７３を利用するオートバイの場合、点火コイルに供給される直流電源をスイッチまたはリレーを利用して遮断することによって、始動を遮断することができる。インジェクション方式は、キーシリンダーを２ＰＩＮで構成することができる。
【００５７】
このようにオートバイの種類によって、ＩＧ制御回路１７１とエンジン点火制御装置１７３との間にリレーやスイッチを追加して装着することによって、ＩＧ制御回路１７１を利用して前述した３つの方式のエンジン点火制御装置１７３の始動を制御することができる。
【００５８】
第１制御部１２０は、出力回路１４１を制御して盗難警報信号を発生することができる。盗難警報信号は、サイレン１４２またはランプ１４３の光などとすることができる。
【００５９】
第１制御部１２０は、第１無線通信部１３０を介して応答信号を受信すれば、応答信号に含まれたスマートリモコン２００の電子識別子と電子制御ユニット１００の電子識別子が同一であるか否かを判断する。判断結果、電子識別子が同一であれば、エンジン始動を維持する。
【００６０】
オートバイの運行を完了した後には、オートバイの始動を遮断しなければならない。オートバイは、始動遮断のために停止ボタンを備えることができる。ユーザは、運行を完了した後、停止ボタンを押して始動を遮断することができる。
【００６１】
オートバイの始動を遮断する他の方法としては、エンジン始動が感知されている状態でスタートボタン１６２を一定時間以上長く押す場合、ユーザの始動遮断意志として判断し、始動を遮断することができる。この場合、別途の停止ボタンを備えなくてもよいという長所がある。
【００６２】
図３は、本発明の実施例によるオートバイ盗難防止方法を示す流れ図である。
【００６３】
図１乃至図３に示されたように、本発明の実施例によるオートバイ盗難防止方法は、オートバイの電子制御ユニット１００がオートバイの認証前の電源連結またはエンジン始動を感知する（Ｓ３１０）。オートバイの電源連結またはエンジン始動の感知は、感知部１１０によって行うことができる。電源連結またはエンジン始動が感知されれば、電子制御ユニット１００は、スマートリモコン２００に電子制御ユニット１００の電子識別子を伝送する（Ｓ３２０）。電子制御ユニット１００の電子識別子は、ＬＦ送信回路１３１とＬＦアンテナ１３２を介して伝送することができる。スマートリモコン２１０は、ＬＦ受信部２１１を介して電子制御ユニット１００の電子識別子を送信することができる。スマートリモコン２１０は、受信した電子制御ユニット１００の電子識別子とスマートリモコン２１０の電子識別子の同一性を判断する（Ｓ３３０）。
【００６４】
この時、段階Ｓ３２０で、オートバイのシートに設置された圧力センサーから圧力感知信号を受信するか、ブレーキ操作を感知すれば、電子制御ユニット１００が無線通信を通じてスマートリモコン２００に電子制御ユニット１００の電子識別子を伝送することができる。
【００６５】
同一性の判断結果、電子制御ユニット１００の電子識別子とスマートリモコン２１０の電子識別子とが同一でない場合には、スマートリモコン２１０は応答しない（Ｓ３４０）。このように、スマートリモコン２１０が同一の電子識別子を有する電子制御ユニット１００にのみ反応するようにして、不要な動作を事前に防止することができる。したがって、信号間の衝突を防止することができる。スマートリモコン２１０が応答しなければ、電子制御ユニット１００は、一定時間以内に応答信号を受信しない。電子制御ユニット２１０は、応答信号を受信しなければ、オートバイの電源連結またはエンジン始動を遮断する（Ｓ３５１）。本実施例において、電子制御ユニット１００は、ＩＧ制御回路１７１の出力をグラウンドに接地させることによって、発電機から点火制御装置に供給される交流電源をグラウンドに放出されるようにしてエンジン始動を遮断するか、または点火制御装置に供給される直流電源を遮断してエンジン始動を遮断することができる。他の実施例においては、他の方法でエンジン始動を遮断することもできる。このような電源連結またはエンジン始動を遮断することによって、不正な目的でオートバイを始動させることを防止することができる。また、電子制御ユニット１００は、盗難警報信号を発生させることができる（Ｓ３５２）。盗難警報信号は、サイレン１４２またはランプ１４３のちらつきなどとすることができる。盗難警報信号が発生すれば、盗難危険があることが外部に知られるので、不正な目的を有する者を遠くに追い出すことができる。
【００６６】
この時、段階Ｓ３４０で、電子制御ユニット１００は、既設定のハンドルロック状態を維持する。
【００６７】
同一性の判断結果、電子制御ユニット１００の電子識別子とスマートリモコン２１０の電子識別子が同一である場合には、スマートリモコン２１０が応答信号を電子制御ユニット１００に伝送する（Ｓ３６０）。応答信号には、スマートリモコン２１０の電子識別子が含まれている。応答信号の伝送は、ＲＦ送信部２１２によって行うことができる。電子制御ユニット１００は、ＲＦアンテナ１３４とＲＦ受信回路１３３を介して応答信号を受信することができる。電子制御ユニット１００は、応答信号に含まれたスマートリモコン２１０の電子識別子と電子制御ユニット１００の電子識別子の同一性を判断する（Ｓ３７０）。このように電子制御ユニット１００においても、電子識別子の同一性を判断することによって、さらに確実な保安を行うことができる。例えば、スマートリモコン２１０だけで同一性を判断する場合、不正な目的を有する者がスマートリモコン２１０を操作すれば、容易にオートバイを盗むことができる。これを防止するために、電子制御ユニット１００においても、電子識別子の同一性を判断する必要がある。
【００６８】
同一性の判断結果、同一でなければ、電子制御ユニット１００は、オートバイの電源連結またはエンジン始動を遮断する（Ｓ３５１）。また、電子制御ユニット１００は、盗難警報信号を発生することができる（Ｓ３５２）。同一性の判断結果、同一であれば、電子制御ユニット１００は、エンジン始動を準備するか、エンジン始動を維持する（Ｓ３８０）。この時、同一性の判断結果、電子制御ユニット１００の電子識別子とスマートリモコン２１０の電子識別子が同一でない場合、電子制御ユニット１００は、既設定のハンドルロック状態を維持する。反対に、同一である場合、 段階Ｓ３８０で、電子制御ユニット１００は、既設定のハンドルロック状態を解除する。
【００６９】
一方、 段階Ｓ３１０で、電子制御ユニット１００は、オートバイが左右に一定角度以上傾斜するか、または前輪または後輪が一定角度以上浮かされたことをセンサー部１１３のモーションセンサーが感知すれば、モーションセンサーは、感知信号を電子制御ユニット１００に出力する。感知信号を受信した電子制御ユニット１００は、出力回路１４１に盗難警報信号を発生させることができる。
【００７０】
段階Ｓ３５２で、電子制御ユニット１００は、盗難警報信号を認証されたスマートリモコン２００に伝送することができる。盗難警報信号を受信したスマートリモコン２００は、ブザー２４２またはランプ２４３を用いて盗難警報を出力してユーザに通知することができる。
【００７１】
図４は、本発明の他の実施例によるオートバイ盗難防止方法を示す流れ図である。
【００７２】
図４に示されたように、本発明の他の実施例によるオートバイ盗難防止方法は、オートバイの電子制御ユニット１００がオートバイの認証前の電源連結またはエンジン始動を感知する（Ｓ４１０）。オートバイの電源連結またはエンジン始動の感知は、感知部１１０によって行うことができる。電源連結またはエンジン始動が感知されれば、電子制御ユニット１００は、スマートリモコン２１０にスマートリモコン２１０の電子識別子を伝送することを要請する（Ｓ４２０）。伝送要請は、電子制御ユニット１００の第１無線通信部１３０によって行うことができる。このような要請によって、スマートリモコン２１０は、自分の電子識別子を電子制御ユニット１００に伝送する（Ｓ４３０）。スマートリモコン２１０は、第２無線通信部１３０を利用して電子識別子を伝送することができる。電子制御ユニット１００は、スマートリモコン２１０の電子識別子を受信し、電子制御ユニット１００の電子識別子とスマートリモコン２１０の電子識別子の同一性を判断する（Ｓ４４０）。
【００７３】
一方、 段階Ｓ４２０で、オートバイのシートに設置された圧力センサーから圧力感知信号を受信するか、ブレーキ操作を感知すれば、電子制御ユニット１００が無線通信を通じてスマートリモコン２００にスマートリモコン２００の電子識別子の伝送を要請することができる。
【００７４】
同一性の判断結果、スマートリモコン２１０の電子識別子と電子制御ユニット１００の電子識別子が同一でない場合には、電子制御ユニット１００は、オートバイの電源連結またはエンジン始動を遮断する（Ｓ４５１）。また、電子制御ユニット１００は、盗難警報信号を発生することができる（Ｓ４５２）。同一性の判断結果、スマートリモコン２１０の電子識別子と電子制御ユニット１００の電子識別子が同一である場合には、電子制御ユニット１００は、エンジン始動を準備するか、エンジン始動を維持する（Ｓ４６０）。
【００７５】
本実施例によるオートバイ盗難防止方法は、図３で説明した方法に比べて早期認証が可能である。
【００７６】
一方、本明細書と図面に開示された本発明の実施例は、本発明が技術内容を容易に説明し、本発明の理解を助けるために特定例を提示したものに過ぎず、本発明の範囲を限定しようとするものではない。ここに開示された実施例以外にも、本発明の技術的思想に基づく他の変形例が実施可能であるということは、本発明の属する技術分野における通常の知識を有する者に自明でる。
【符号の説明】
【００７７】
１００  電子制御ユニット
１１０  感知部
１２０  第１制御部
１３０  第１無線通信部
２００  スマートリモコン
２１０  第２無線通信部
２２０  第２制御部 
【図１】
2011057202.tif 000003
【図２】
2011057202.tif 000004
【図３】
2011057202.tif 000005
【図４】
2011057202.tif 000006